(57)【要約】  本発明は、好ましくは除毛及び流体塗布装置（１）と一緒に使用するための液体を収容するためのリザーバ（１０）に関する。本リザーバ（１０）は、少なくとも１つの液体区画を備え、２つの表面を有する少なくとも１つの密閉縁部（１５）と、少なくとも１つの開口手段（１１）と、を有し、開口手段（１１）は、密閉縁部（１５）の２つの表面の間に取り外し可能に付着され、そこから外方に延在する。リザーバ（１０）から開口手段（１１）を分離すると、開口部（１６）が密閉縁部（１５）に形成され、流体がそこから分配されることを可能にする。
2017524607.tif 000002
【特許請求の範囲】
【請求項１】
少なくとも１つの液体区画を備えた、液体を収容するためのリザーバ（１０）であって、前記リザーバが、２つの表面を有する少なくとも１つの密閉縁部（１５）と、少なくとも１つの開口手段（１１）と、を有し、前記開口手段（１１）が、前記密閉縁部（１５）の前記２つの表面の間に取り外し可能に付着され、そこから外方に延在する、リザーバ。
【請求項２】
前記開口手段（１１）が、近位端（２２）及び遠位端（２３）を有し、前記近位端（２２）の少なくとも一部分が、前記密閉縁部（１５）の前記２つの表面の間に取り外し可能に付着される、請求項１に記載のリザーバ（１０）。
【請求項３】
前記開口手段（１１）の前記近位端（２２）の少なくとも一部分が、前記リザーバ（１０）の内部空洞（２１）内に延在する、請求項１又は２に記載のリザーバ（１０）。
【請求項４】
前記開口手段（１１）が、ポリマー、セルロース、金属、綿、及びこれらの組み合わせ、好ましくはポリマー又はセルロースから形成される、請求項１〜３のいずれか一項に記載のリザーバ（１０）。
【請求項５】
前記開口手段（１１）が、タブ（２４）、スレッド、又はストリング（２５）から選択される、請求項１〜４のいずれか一項に記載のリザーバ（１０）。
【請求項６】
開口手段（１１）が、ループ（２６）の形態であり、前記遠位端（２３）が、前記密閉縁部（１５）の前記２つの表面の間に取り外し可能に付着される、請求項２及び５に記載のリザーバ（１０）。
【請求項７】
前記開口手段（１１）の前記近位端（２２）が、ループ（２６）の形態である、請求項３に記載のリザーバ（１０）。
【請求項８】
前記リザーバ（１０）の前記内部空洞（２１）内に延在する前記近位端（２２）の少なくとも一部分が、前記密閉縁部（１５）の前記２つの表面の間に取り外し可能に付着された前記開口手段（１１）の前記近位端（２２）の一部分の幅よりも大きい幅を有する、請求項３に記載のリザーバ（１０）。
【請求項９】
前記開口手段（１１）の前記遠位端（２２）の一部分が、テーパ形状である、請求項１〜８のいずれか一項に記載のリザーバ（１０）。
【請求項１０】
前記密閉縁部（１５）の前記２つの表面の間に取り外し可能に付着された前記開口手段（１１）の前記近位端（２２）の一部分が、テーパ形状である、請求項１〜９のいずれか一項に記載のリザーバ（１０）。
【請求項１１】
前記開口手段（１１）が、砂時計又は矢じり構成を有する、請求項１〜１０のいずれか一項に記載のリザーバ（１０）。
【請求項１２】
前記リザーバ（１０）及び前記開口手段（１１）が、積層されたフィルム、好ましくは同じ積層フィルムから形成される、請求項１〜１１のいずれか一項に記載のリザーバ（１０）。
【請求項１３】
前記リザーバ（１０）が、本体部分（２０）及びそこから延在する首部分（２８）を備え、前記少なくとも１つの密閉縁部（１５）が前記首部分（２８）の中に位置する、請求項１〜１２のいずれか一項に記載のリザーバ（１０）。
【請求項１４】
請求項１〜１３のいずれか一項に記載のリザーバ（１０）を備える、除毛及び流体塗布装置（１）。
【請求項１５】
除毛手段及び流体分配手段、並びに支持体を備え、前記開口手段（１１）が、前記リザーバ（１０）から前記流体分配手段を通って延在する、請求項１４に記載の除毛及び流体塗布装置（１）。
【請求項１６】
前記リザーバの本体から前記開口手段（１１）を引き離して、前記リザーバ（１０）から前記開口手段（１１）を分離することを含む、請求項１又は１５に記載のリザーバ（１０）を開口する方法。
【発明の詳細な説明】
【技術分野】
【０００１】
本発明は、使い捨て式流体分配除毛装置及びリザーバに関し、したがって該装置は、消費者が、追加的なシステム構成要素を必要とすることなく、除毛過程を行うことを可能にし、該装置は、低コストで製造が容易であり、また、水源がなくても、又は浴室環境の外であっても使い勝手が良い。
【背景技術】
【０００２】
流体を分配することもできる再使用可能な除毛装置が当技術分野で知られている。かかる装置は、典型的に、剃毛過程中にかみそりカートリッジを介して流体が分配される、１つ以上の流体分配オリフィスを含む。この流体は、ハンドルの中に位置する交換可能なリザーバを用いて収容され、また、押しボタンによって作動される。かかる装置は、製造が複雑で、多数の部品を必要とし、また、かみそりカートリッジ及び流体リザーバ双方の交換を可能にするように設計されている。例えば、米国特許出願公開第２０１３／０１４５６２６号、同第２０１３／０１４５６２５号、同第２０１３／０１４５６０１号、及び同第２０１１／１３０３７２号を参照されたい。
【０００３】
かみそりカートリッジを交換することができない使い捨て式除毛装置も、当技術分野でよく知られている。これらの装置は、典型的に、例えばカートリッジとハンドルとの間の旋回軸を取り除き、それによって単純化し、製造コストを低減させることによって、少し簡単なバージョンの再使用可能な装置である。それにもかかわらず、これらの装置は、依然として製造がかなり複雑である。
【０００４】
それ故に、流体の分配も可能にし、それによって別個の流体容器の必要性をなくし、一方で、装置の複雑性及びその構成要素の数を低減させて、製造コストを低減させる、使い捨て式除毛装置を提供する必要性が依然として存在する。このことは、旅行中、又は好都合な給水が存在しない場合などの、消費者の家庭の浴室設備から離れて行われる除毛過程にとって特に望ましい。また、身体領域全体に効果的に使用することが容易である装置を提供する必要性も存在する。
【０００５】
当技術分野では、流体も分配する使い捨て式除毛装置を提供するための試みが説明されてきた。例えば、欧州特許出願第４２７８８９Ａ号は、分離可能なゲルパケットがかみそりハンドルに固定され、それによって、剃毛過程の前又は後にパケットをかみそりから取り外し、開き、そして、内容物を皮膚に塗布することができる、使い捨て式かみそりを記載している。この装置は、パケットを装置から取り外すこと、及び流体の別個の独立した塗布が必要であるので、消費者にはあまり好都合ではない。ドイツ特許出願第ＤＥ  １０２０１１１１７５９０号は、剃毛ゲルのための取り外し可能な容器を備える、使い捨て式かみそりを記載している。剃毛ゲル容器は、かみそりハンドル上に配置され、端部は、かみそりヘッド上に配置される。容器上の穿孔に圧力を適用すると、容器が開いて、かみそりゲルが放出される。この装置は、消費者が装置をかみそりに付着させる必要があるため、使用するのに同様に不都合である。
【０００６】
米国特許出願公開第２００４／００１６１２６号は、手動で調整可能な除毛及び皮膚潤滑装置を記載している。この装置は、内部のリザーバから独立して、又は同時に潤滑剤を吐出させるように操作することができる、Ｕ字形の本体を有する。しかしながら、この装置は、所望の使用構成を選択するために、及び特に、剃毛過程全体にわたって、所望の構成を一貫して維持して、潤滑剤を同時に分配し、かみそりカートリッジを制御するために、かなりの手動の器用さを必要とする。したがって、消費者は、連続的に構成を確認することを必要とされるが、これは、剃毛過程の中断をもたらすため特に不都合であり、また、より手の届かない身体領域を剃毛するときには非実用的である。更に、潤滑剤及びウイッキング装置は、使用前に密閉されておらず、それによって、不用意な流出及び／又は汚染が起こり易い。
【０００７】
しかしながら、流体分配かみそりの有用性にもかかわらず、多くの消費者は、依然として、液体分配かみそりを使用する場合であっても、剃毛過程の前に、皮膚調整処理剤を皮膚に塗布することを好む。液体分配かみそりは、典型的に、かみそりの刃の上側若しくは下側に直接、又はかみそりの刃を通してかみそりカートリッジ内から、液体を分配する。結果的に、消費者は、剃毛する皮膚の表面に液体が分配されたことを視覚的に確認することができない場合がある。剃毛前調整物の使用は、剃毛する前に皮膚調整物が皮膚を完全かつ念入りに覆っていることを、消費者に対して再保証し、確かにする。更に、皮膚は、剃毛する前に水和され、潤滑されるが、それは、剃毛時の経験を改善する。同様に、剃毛に続く皮膚からの組成物の除去は、その領域が剃毛されたという指標を消費者に提供する。
【０００８】
かかる流体分配装置内の流体にアクセスするために、流体リザーバは、開口される、及び／又は作動されなければならない。複雑なシステムに関しては、これは通常、ハンドル内の押しボタンを使用することにより達成される。しかしながら、かかるシステムは、主にコストの理由から使い捨て式製品には望ましくなく、より単純なシステムが必要である。一方、使い捨て式製品に関連する従来技術は、消費者が手動でリザーバにアクセスする必要があり、これは、装置から完全に取り外し、リザーバを開口し、次いで続いて装置内に再挿入する必要があり得る。かかる過程は不都合であり、リザーバ又は袋内に収容された流体を開口すると、消費者、リザーバ、及び／又は装置のいたるところにうっかり排出され得るため、この場合もやはりある程度の手動の器用さを必要とし、汚れる可能性がある。これはまた、装置内に正しく再挿入することを妨げ得る、及び／又は使用中の漏れの原因となる。単純な引き裂きタブ、壊れやすいシール、引き裂きストリング、又はタブ等の説明されている多くの袋開口手段が当技術分野に存在する一方で、これらは全て、袋を開口するために消費者が袋にアクセスし保持することを必要とする。例えば米国特許第３６０８５６６号、同第４８３８４２９号、米国特許出願公開第２００８／００６３３２４号、及び国際公開第２０１２／０９１６７４号を参照されたい。米国特許第３９９１７５８号は、容器の壁を通って延在する細長い可撓性閉鎖部材を有する薬剤の単一用量容器を記載している。更に、技術のいずれも、特に消費者装置における使用のために、制御された液体分配を確実にするための特定の開口部位置及びサイズを確実にしない。
【０００９】
結果的に、簡単かつ好都合な様式で剃毛前又は剃毛後組成物等の所望の組成物の塗布を可能にする、好ましくは使い捨て式除毛装置と一緒に使用するための効果的な流体リザーバを提供する必要性が依然として存在する。具体的には、使用が容易で、かつ開口し流体分配を作動させるために、いかなる手動の器用さ又は装置の解体を必要とせず、リザーバに直接アクセスする必要がなく開口することができ、身体領域全体に使用することができるリザーバの必要性が存在する。
【先行技術文献】
【特許文献】
【００１０】
【特許文献１】米国特許出願公開第２０１３／０１４５６２６号
【特許文献２】米国特許出願公開第２０１３／０１４５６２５号
【特許文献３】米国特許出願公開第２０１３／０１４５６０１号
【特許文献４】米国特許出願公開第２０１１／１３０３７２号
【特許文献５】欧州特許出願第４２７８８９Ａ号
【特許文献６】ドイツ特許出願第ＤＥ  １０２０１１１１７５９０号
【特許文献７】米国特許出願公開第２００４／００１６１２６号
【特許文献８】米国特許第３６０８５６６号
【特許文献９】米国特許第４８３８４２９号
【特許文献１０】米国特許出願公開第２００８／００６３３２４号
【特許文献１１】国際公開第２０１２／０９１６７４号
【特許文献１２】米国特許第３９９１７５８号
【発明の概要】
【課題を解決するための手段】
【００１１】
本発明は、好ましくは除毛及び流体塗布装置と一緒に使用する、少なくとも１つの液体区画を備えた、液体を収容するためのリザーバ（１）に関し、該リザーバは、２つの表面を有する少なくとも１つの密閉縁部（１５）と、少なくとも１つの開口手段（１１）と、を有し、開口手段（１１）は、密閉縁部（１５）の２つの表面の間に取り外し可能に付着され、そこから外方に延在し、それによって開口手段（１１）がリザーバ（１０）から分離されると、密閉縁部内に開口部を形成する。
【００１２】
更なる態様では、本発明は、リザーバを備え、好ましくは除毛手段、流体塗布手段、及び支持体を備える除毛及び流体塗布装置に関し、開口手段は、リザーバから流体分配手段を通って延在する。
【図面の簡単な説明】
【００１３】
【図１ａ】リザーバが長四角形の主本体と、少なくとも１つの密閉縁部から延在する単一のタブ開口手段と、を有する本発明の一実施形態の正面図である。
【図１ｂ】単一のタブ開口手段を取り外した図１ａの実施形態の断面図である。
【図２ａ】リザーバが主本体部分及び首部分を有し、少なくとも１つの密閉縁部が首部分に位置付けられ、そこから単一のテーパ形状の開口手段が延在し、ｂ）は、リザーバから開口手段を取り外した状態を示す、本発明の第２の実施形態の断面図である。
【図２ｂ】リザーバが主本体部分及び首部分を有し、少なくとも１つの密閉縁部が首部分に位置付けられ、そこから単一のテーパ形状の開口手段が延在し、ｂ）は、リザーバから開口手段を取り外した状態を示す、本発明の第２の実施形態の断面図である。
【図３】リザーバが主本体及び首部分を有し、少なくとも１つの密閉縁部は、首部分の中にあり、遠位端及び近位端が、密閉縁部から外方に延在する１つのループと、リザーバの内部空洞内の別のループと、を形成する、本発明の第３の実施形態の正面断面図である。
【図４ａ】単一のタブ開口手段を有する様々な本体及び首部分構成の正面図である。
【図４ｂ】単一のタブ開口手段を有する様々な本体及び首部分構成の正面図である。
【図４ｃ】単一のタブ開口手段を有する様々な本体及び首部分構成の正面図である。
【図４ｄ】単一のタブ開口手段を有する様々な本体及び首部分構成の正面図である。
【図５ａ】主本体及び首部分を有する本発明の第４の実施形態の断面／正面図である。首部分の密閉縁部の２つの表面の間に位置する単一のテーパ形状のタブを図示している。
【図５ｂ】主本体及び首部分を有する本発明の第４の実施形態の断面／正面図である。リザーバの本体部分の密閉縁部の２つの表面の中に位置する単一のテーパ形状のタブを図示している。
【図６】単一のタブ開口手段の様々な構成の正面図である。
【図７ａ】主本体及び首部分を有する本発明の第５、第６、及び第７の実施形態の正面図であり、開口手段がストリング又はスレッドであり、開口手段の遠位端が開口手段の遠位部分上にループを形成し、近位端がリザーバの内部空洞内に延在する。遠位端のリングを示す。
【図７ｂ】主本体及び首部分を有する本発明の第５、第６、及び第７の実施形態の正面図であり、開口手段がストリング又はスレッドであり、開口手段の遠位端が開口手段の遠位部分上にループを形成し、近位端がリザーバの内部空洞内に延在する。ノットを示す。
【図７ｃ】主本体及び首部分を有する本発明の第５、第６、及び第７の実施形態の正面図であり、開口手段がストリング又はスレッドであり、開口手段の遠位端が開口手段の遠位部分上にループを形成し、近位端がリザーバの内部空洞内に延在する。タグを示す。
【図８】主本体部分と、リザーバの内部空洞内に延在するタインを有する開口手段と、を有する本発明の第８の実施形態の断面である。
【図９】図２ａの実施形態の拡大断面である。
【図１０ａ】本発明のリザーバ及び開口手段を有する除毛及び流体分配装置の正面及び背面斜視図である。
【図１０ｂ】本発明のリザーバ及び開口手段を有する除毛及び流体分配装置の正面及び背面斜視図である。
【図１１】図１０の装置のリザーバを開口させる過程の概略図である。
【発明を実施するための形態】
【００１４】
リザーバ
本発明は、開口手段（１１）を有する流体を収容するためのリザーバ（１０）に関する。本発明のリザーバ（１１）は、流体を収容するための任意の適切なリザーバとすることができる。好ましくは、リザーバは、流体を収容するための可撓性リザーバであり、ユーザによる圧力の適用に応じたリザーバからの流体の放出を容易にする。リザーバには、２つの表面を有する少なくとも１つの密閉縁部（１５）と、２つの表面の間に取り外し可能に付着され、そこから外方に延在する開口手段と、が提供される。ユーザが開口手段を取り外すと、開口部が密閉縁部に形成されて、ユーザがリザーバに収容されている流体を分配することを可能にする。
【００１５】
リザーバは、典型的に、主正面及び背面、並びに少なくとも１つの側縁部（１５）を有し、好ましくは、リザーバは、２つの側縁部（１７）並びに１つの頂部（１８）及び底縁部（１９）を有する。縁部は、リザーバの外周部を画定することができる。縁部は、好ましくは直線状であるが、例えばそれぞれの隅部においてある程度の湾曲を呈することができる。流体リザーバは、流体を収容する主本体部分を有する。少なくとも１つの密閉縁部（１５）は、好ましくは、リザーバ（１８）の頂縁部上に位置する。
【００１６】
流体リザーバは、流体を収容するのに適した任意の材料又は材料の組み合わせ、すなわち液体不浸透性の材料又は複合材から提供することができる。一実施形態では、リザーバは、プラスチックフィルムなどのポリマーフィルムから、及び／若しくは積層プラスチックフィルムから、又は、例えば、ＰＥＴ／ＶＭＰＥ、ＰＥＴ／Ｆｏｉｌ／ＰＥ（好ましくは、金属フォイル、例えばアルミニウム）、ＰＥＴ／ＬＬＤＰＥ、ＰＥＴ／ＰＥ−ＥＶＯＨ−ＰＥ、又はＳＵＲＬＹＮ（商標）、又は好ましくは熱密閉技法によって、好ましくは密閉することができる他の市販の材料などの、複合材料から形成される。積層フィルムは、熱、圧力、又は接着剤などの、当技術分野で知られている任意の方法によって形成することができる。材料は、リザーバの容量、並びにリザーバに収容される流体の密度及び容積、並びに特定の用途に必要とされる強度及び柔軟性に応じて選択することができる。材料は、透明又は不透明とすることができ、後者は、流体の劣化を防止するための特定の用途を有することができる。主正面若しくは背面又はその一部分などのリザーバの外面又は少なくともその一部分は、織布、不織布、並びに／又はシリコーン及びゴムなどのポリマーなどの、消費者が好む触覚の表面を提供するために追加的な材料で被覆することができる。外面にはまた、リザーバの内容物、使用説明書、及び／又は、保持して流体を分配するための推奨される取り扱い位置等の情報を消費者に通知する指示も提供することができる。
【００１７】
リザーバは、単一シートの材料から形成することができ、該シートは、リザーバを形成するように頂部及び底部端縁部及び一方の側縁部で折り畳んで、密閉する、好ましくは熱密閉する。随意に、外周部シールを形成するために第２の密閉を行うことができる。別の実施形態では、リザーバは、リザーバを形成するために頂部、底部、及び側縁部全体に沿って密閉される、少なくとも２シートの材料から形成することができる。リザーバの縁部は、好ましくは、ほぼ直線状であるが、部分的に湾曲させることができる。リザーバは、その周縁部全体に沿って密閉することができる。あるいは、リザーバは、押し出し加工又はブロー成型技法によって形成することができ、また、１つの単一の密閉縁部を備え、いかなる追加的な周縁部シールも備えないことができる。リザーバは、任意の形状とすることができるが、典型的には、ほぼ長方形、正方形、楕円形、又は円形であり、好ましくはほぼ長方形である。
【００１８】
リザーバは、異なる組成物を塗布することを可能にするために、及び／又は同じ若しくは類似する流体組成物（複数可）の複数の塗布を可能にするために、１つ又は複数の、すなわち２つ以上の別個の流体区画を備えることができる。各別個の流体区画は、好ましくは、下に記載されるように、リザーバと関連付けられる開口手段又はタブを有する。追加的なシールの提供によって２つの区画に分割される１つの区画を有するリザーバを形成することによって、複数の区画を提供することができる。
【００１９】
少なくとも１つの密閉縁部
本発明の流体リザーバは、接着剤、熱密閉、及び圧力密閉等の当技術分野で既知の任意の方法を使用して、一緒に密閉される２つの表面を有する少なくとも１つの密閉縁部（１５）を備える。下で論じられるように、開口手段は、密閉縁部が、そこから開口手段を取り外すと破裂することを可能にするために、密閉縁部（１５）の２つの表面の少なくとも一部分の間に位置する。結果として生じる開口部（１６）は、開口手段（１１）の寸法によって画定され、リザーバの最終用途及びそのサイズに左右される。
【００２０】
容量
流体リザーバの容量は、最終用途及び使用状況に応じて、換言すれば、単回使用を意図するか、又は複数回使用を意図するかに依存して選択される。美容及びグルーミング用途の場合、流体リザーバは、約１ｍＬ〜５００ｍＬ、好ましくは約１ｍＬ〜１００ｍＬ、より好ましくは１ｍＬ〜１５ｍＬ又は１０ｍＬ〜２５ｍＬの容量を有することができる。流体リザーバは、典型的に、開口時の不用意な流出を防止するために、少なくとも約７５％、好ましくは少なくとも８０％の容量まで充填される。
【００２１】
開口手段
流体リザーバには更に、リザーバ（１０）の密閉縁部（１５）を開くための開口手段又はタブ（１１）が提供される。開口手段又はタブ（１１）は、開口過程を開始するために、典型的にはその遠位端（２３）で、又は存在すればタグによって、消費者が容易に把持することができる。典型的に、消費者は、開口手段（１１）をリザーバから概ね離れる方向に引っ張り、それによって、密閉縁部の一部分を破裂させて、そこからの開口手段の取り外し又は部分的な取り外しのときに開口部を作成する。次いで、リザーバに収容されている流体をユーザが分配することができる。
【００２２】
故に、開口手段（１１）は、少なくとも１つの密閉縁部（１５）を提供するために密閉される２つの接触面の間に取り外し可能に付着され、そこから外方に延在する。開口手段又はタブは、近位端（２２）及び遠位端（２３）を有する。近位端（２２）の少なくとも一部分は、密閉縁部の２つの接触面の間に取り外し可能に付着され、遠位端（２３０は、そこから外方に延在する。開口手段（１１）を密閉端部（１５）の２つの表面に取り外し可能に付着させるために、接着剤、熱及び圧力密閉、好ましくは熱密閉が挙げられるが、これらに限定されない、任意の手段を使用することができる。開口手段（１１）は、典型的に、下で論じられるように密閉して密閉縁部（１５）を形成する前に、２つの隣接する表面の間に位置付けられる。開口手段を含む密閉縁部は、好ましくは、リザーバ（１０）の頂部密閉縁部（１８）に提供される。
【００２３】
開口手段（１１）は、上で説明されるようなリザーバ材料に使用されるのと同じ又は異なる材料又はフィルムなどの、任意の適切な材料から提供することができる。適切な材料としては、金属、綿、ポリエステル、ナイロン、レーヨン、プラスチックなどのポリマー、積層、被覆、又はワックス塗布することができるボール紙及び紙などのセルロースに基づく材料が挙げられるが、これらに限定されない。開口手段は、可撓性又は剛性とすることができる。
【００２４】
開口手段は、任意の好適なサイズ、形状、及び幾何学的形状を有することができるが、但し、開口手段を、密閉縁部の２つの表面の間に取り外し可能に付着させることができ、また、消費者の指によって容易に把持することができることを条件とする。好ましくは、開口手段は、ほぼ平坦である。美容及びグルーミング用途の場合、開口手段又はタブは、約０．１ｍｍ〜２．５ｃｍ、好ましくは約０．５ｍｍ〜１ｃｍの幅、及び約１ｃｍ〜１５ｃｍ、好ましくは約２ｃｍ〜１０ｃｍの長さを有することができる。しかしながら、代替の用途は、幅が２ｃｍ〜１０ｃｍ及び長さが１０ｃｍ〜５０ｃｍの寸法を必要とする場合がある。シールから延在し、消費者が明確に視認できる開口手段の遠位端は、対称的又は非対称的で、均一又は非均一な断面とすることができる。
【００２５】
開口手段（１１）は、少なくとも１つの密閉縁部（１５）から延在し、そこから遠位のある点で終端する、単一のタブ（２４）、ストリング、又はスレッド（２５）を備えることができる。あるいは、開口手段は、少なくとも１つの密閉縁部から延在して、ループ（２６）を形成する、タブ、ストリング、又はスレッドとすることができる。そのような実施形態では、ループ（２６）の近位端（２２）は、少なくとも１つの密閉縁部（１５）に取り外し可能に付着させることができる。遠位端（２３）はまた、密閉縁部の２つの表面の間に付着させること、又は密閉縁部の外面又はリザーバの正面若しくは背面に付着させること、又は開口手段（１１）の遠位端（２３）の一部分に付着させることもできる。一実施形態では、近位端（２２）及び遠位端（２３）はどちらも、密閉縁部（１５）の２つの表面の間に取り外し可能に付着される。一実施形態では、タブには、少なくとも２つ、好ましくは少なくとも３つ、より好ましくは少なくとも４つのタイン（２７）を、開口手段（１１）の近位端（２２）の少なくとも一部分に提供することができる。タインは、密閉縁部を形成する２つの表面の間の近位端の一部分に存在させることができ、また、リザーバ（１０）の内部空洞（２１）の中へ延在させることができる。タイン（２７）はまた、存在する場合は、一部の遠位端の中へ延在させることもできる。タインは、リザーバから開口手段を取り外したときの、より均一な開口部の作成、又は所望に応じて、２つ以上の開口部の作成を助力することができる。かかる複数の開口部は、リザーバから表面に分配するときの、流体のより均一な分配を助力することができる。
【００２６】
開口手段又はタブが密閉開口部から遠位のある点で終端する実施形態の場合、タブは更に、それに付着されるタグを備えることができる。タグは、消費者が把持し、その後に引っ張って、密閉縁部から開口手段を取り外すか、又は少なくとも部分的に分離する、より大きい表面積を提供するために、好ましくは、開口手段又はタブの遠位端よりもかなり幅が広い。代替の実施形態では、タグは、消費者が把持し、開口手段の上を引っ張ることを可能にするために、開口手段の遠位端に付着されるループの形態とすることができる。タグは、任意の形状とすることができ、また、好ましくは少なくとも０．１ｍｍ、好ましくは少なくとも２ｍｍ、より好ましくは少なくとも５ｍｍ、更に好ましくは２ｍｍ〜４０ｍｍ、最も好ましくは５ｍｍ〜２０ｍｍの幅又は直径を有することができる。幅は、均一であってもよく、又はテーパ形状であってもよい。開口手段の遠位端がループの形態である実施形態の場合、かかるタグは、消費者が開口手段を把持するための追加的な助力を提供するために、ループのほぼ中間点に提供することができる。開口手段がストリング又はスレッドである実施形態の場合、タグは、開口手段の遠位端にノット又はループを提供することによって形成することができる。タグは、開口手段と同じ又は異なる材料から提供することができる。一実施形態では、タグは、好ましくは消費者が好む触覚の表面を提供するように、異なる材料から形成される。
【００２７】
開口手段又はタブは、展開した、又は折り畳んだ構成で提供することができ、該構成は、存在する場合はタブによって適所に保持することができ、また、使用前に展開される。
【００２８】
開口手段又はタブ、及び／又はタグには、タブの場所、及び／又は好ましい把持場所、及び／又は開口手段又はタブを引っ張って開き、リザーバからタブを少なくとも部分的に分離するか、又は取り外す方向を消費者に通知する指示を提供することができる。指示は、区別した色及び／又はシンボルの形態とすることができる。
【００２９】
開口手段又はタブ（１１）の近位端（２２）の一部分は、少なくとも１つの密閉縁部（１５）を超えて、リザーバ（１０）の内部空洞（２１）の中へ延在させることができる。かかる実施形態は更に、密閉縁部の２つの表面の間への開口手段の付着を確実にすることができる。リザーバの内部空洞の中に位置する開口手段又はタブは、リザーバから外方へ延在する、開口手段又はタブの遠位部分と同じ又は異なる形状を有することができる。一実施形態では、リザーバの空洞の中へ延在する近位端の一部分は、ループ、ノット、又はリングの形態である。そのような実施形態では、密閉縁部から延在する開口手段の遠位端は、ループの形態とすることもでき、又はそうでない場合もある。
【００３０】
リザーバの内部空洞の中へ延在する開口手段の近位端の一部分は、リザーバの内面に付着させるか、又は部分的に取り外し可能に付着させることができる。
【００３１】
開口手段がループである実施形態の場合、遠位部分はまた、リザーバ内部の中へ延在させることもできる。
【００３２】
一実施形態では、リザーバ（１０）の内部空洞（２１）の開口手段又はタブの近位端（２２）の一部分は、密閉縁部（１５）の２つの表面の間の開口手段（１１）の近位端（２２）の一部分よりも大きい幅を有する。あるいは、内部空洞（２１）の中の開口手段（１１）の近位端（２２）の一部分は、密閉縁部から外方へ延在するタブの遠位部分（２３）よりも大きくすることができる。理論に束縛されるものではないが、リザーバの内部空洞（２１）の中の開口手段（１１）の近位端（２２）の一部分の幅を増加させると、消費者が開口手段（１１）の遠位端（２３）上で引っ張るときに、より大きい力を密閉縁部（１５）に及ぼす結果になると考えられる。それによって、これは、リザーバからの開口手段（１１）の取り外し、又は部分的な取り外しのときのシールの開口を更に改善し、また随意に、接着剤などのなんらかの細片を除去することもできる。リザーバの内部空洞の中へ延在する開口手段又はタブの近位端の一部分は、縁部シール又はそこから外方に延在する遠位端の間のその一部分に、異なる材料から提供することができる。材料は、リザーバ内に収容される流体に対して不活性であるように選択される。遠位端がストリング又はスレッドによって提供される実施形態の場合、幅は、ノット又は少なくとも１つのタグの提供によって増加させることができる。
【００３３】
別の実施形態では、開口手段（１１）又はタブは、少なくとも一部分を、好ましくは遠位端（２３）及び／又は近位端（２２）全体をテーパ形状とすることができる。開口手段（１１）は、密閉縁部（１５）の２つの表面の間に取り外し可能に付着される近位（２２）端（２３）の少なくとも一部分において、テーパ形状とすることができる。したがって、開口手段（１５）は、近位端（２２）又は遠位端（２３）の一部分に、密閉開口部を形成する２つの表面の間に位置付けられる開口手段（１１）の近位端（２２）の一部分よりも大きい幅を有することができる。同様に、開口手段（１１）の近位端（２２）の一部分は、密閉縁部（１５）の２つの表面の間に位置付けられる近位端（２２）の一部分の幅よりも大きい幅を有することができる。テーパは、例えば砂時計又は矢じり形状を提供するように、直線状又は曲線状とすることができる。これは、近位端がリザーバの空洞（２１）の中へ延在する実施形態の特定の利点である。開口手段を取り外すために力を加えると、密閉縁部（１５）の２つの表面の間に位置する近位端（２２）の一部分の幅よりも大きい幅を有する、リザーバの空洞（２１）の中に位置付けられるその近位端（２２）の一部分が密閉縁部に対して押し付けられ、シールを破裂させ、それによって、開口部（１６）を作成する、及び／又は開口部（複数可）を拡大させる。
【００３４】
開口タブは、少なくとも１つの密閉縁部に沿った任意の位置に位置付けることができる。好ましくは、開口タブは、該密閉縁部のほぼ中間点に位置するが、密閉縁部の隅部の中間点の左側若しくは右側の位置に、又は密閉縁部の隅部に、又は密閉縁部の隅部に向かって位置させることができる。
【００３５】
開口手段又はタブがループ（２６）の形態で提供され、遠位端（２３）及び近位端（２２）が密閉縁部（１５）の２つの表面の間に取り外し可能に付着される一実施形態では、開口手段（１１）及びリザーバ（１０）は、好ましくは、リザーバと同じ又はほぼ同じ材料から提供される。かかる材料には、好ましくは、熱密閉を可能にするために積層材料によって容易に提供することができる、表面毎に異なる特性を提供することができる。密閉縁部の内面に接触するループ積層体の外面は、密閉縁部においてリザーバの積層フィルムの表面に弱く接着するように選択される。理論に束縛されるものではないが、これは、力を加えて開口手段を取り外すか、又は部分的に取り外すときに、開口するためにあまり力を必要としないシールをもたらすと考えられる。これは、多層状の複合材フィルム、例えば（ＰＥＴ／ＶＭＰＥ）及び他の市販のフィルムに特に好都合である。
【００３６】
密閉縁部の２つの表面の間に開口手段の近位端の一部分を取り外し可能に付着させることに加えて、開口手段の遠位端又は近位端の一部分は、リザーバへの少なくとも１つの追加的な付着を、好ましくは取り外し可能な付着部を有することができる。かかる付着部は、リザーバの外面又は内面に存在させることができる。開口手段及び／又はリザーバが、それらを製造する際に接着剤を利用する積層材料を利用する実施形態は、かかる付着部の形成に対して特定の有用性を見出すことができる。理論に束縛されるものではないが、接着剤は、特に熱及び／又は圧力の適用により、密閉縁部の、及び／又は開口手段の縁部の外周の周囲で積層体から滲出し、それによって、追加的な付着部をもたらす場合があると考えられる。
【００３７】
首部分
好ましい一実施形態では、リザーバは主本体（２０）を備え、主本体には、そこから延在する首部分（２８０が提供される。首部分（２８）の存在は、改善された流体流の制御を可能にし、また、リザーバを付着させることができる装置との改善された接続も可能にすることができる。少なくとも１つの密閉縁部（１５）は、リザーバの本体部分（２０）に位置させることができ、又は首部分（２８）の中に位置させることができる。好ましくは、少なくとも密閉縁部（１５）は、存在する場合は、首部分（２８）に位置する。リザーバの頂部及び側縁部は、存在する場合は、それぞれ、本体から首部分まで延在する。
【００３８】
首部分は、好ましくは、その頂縁部から延在する本体部分の幅のほぼ中間点に位置する。代替の構成としては、首部分が中間点からオフセットされるか、又は本体部分の上隅縁部のうちの１つに向かって位置付けられる実施形態が挙げられる。首部分は、本体部分の側縁部の長さの最大５０％の長さまで延在させることができる。かかる実施形態では、リザーバの側縁部は、首部分の側縁部を形成するために、本体部分から延在させることができ、同様に、リザーバの頂縁部又は頂縁部の一部分は、首部分の中に位置させることができる。好ましくは、首部分は、リザーバの主正面又は背面の本体部分の幅の好ましくは７５％未満、好ましくは５０％未満、より好ましくは４０％未満、リザーバの本体の幅よりも小さい幅を有する。
【００３９】
首部分は、任意の適切な形状を有することができ、また、対称的又は非対称的とすることができ、好ましくは、開口部に向かう流体の流れを高めるように選択される。首部分は、リザーバを出る流体の収束を支援するテーパ形状の首部を提供するために、ほぼ垂直又はある傾斜にすることができる、ほぼ直線状の側部又は曲線状の側部を有することができる。
【００４０】
接着剤を含む積層材料から形成された開口手段が、開口手段とリザーバとの間に改善されたシールを形成することが見出された一方で、理論に束縛されるものではないが、密閉過程中の熱及び／又は圧力の適用は、積層からの接着剤が放出され、流動性になり、それによって開口手段とリザーバ縁部との間に結合を形成することをもたらすと考えられている。
【００４１】
製造方法
リザーバは、当技術分野で既知の方法を使用して製造することができる。典型的には、リザーバは、１つ又は２つの積層フィルムから、存在する場合、首部分を含む所望の形状に事前に切断される。開口手段の近位端の一部分は、密閉縁部を形成する２つの表面の間に位置付けられる。頂部及び側縁部が、密閉される。次いで、リザーバを倒立させ、底縁部から流体を充填し、続いて底縁部が密閉される。
【００４２】
除毛及び流体分配装置
流体リザーバは、美容及びグルーミング用途のための好都合な使い捨て式組成物源を提供するための数多くの用途を見出し得る。リザーバは、使い捨て式除毛及び流体分配装置（１）のための特定の有用性が見出されている。かかる装置は、本明細書に記載される除毛手段（２）、流体分配手段（２）、流体リザーバ（１０）、及び支持体（４）を備える。除毛及び流体塗布装置（１）は、上部分（５）及び下部分（６）を備えてもよく、各々がそれぞれ、関連する正面（７）及び背面（８）を有する。一実施形態では、開口手段は、リザーバから流体分配手段を通って延在する。
【００４３】
除毛手段
単一又は複数、すなわち、少なくとも２つの刃、又は３つの刃、及び随意に、関連付けられるかみそり筐体又はそのためのカートリッジ、フォイル、スクレーパ、又はメッシュなどの、当技術分野で知られている任意の除毛手段（２）を本明細書で使用することができる。好ましくは、除毛手段は、ガード及びキャップを備え、キャップとガードとの間には、少なくとも１つの刃が位置する。より好ましくは、除毛手段は、筐体及びキャップを有するかみそりカートリッジと、筐体上に位置するガードと、キャップとガードとの間に位置付けられる少なくとも１つの刃とを備える。単一の刃のカートリッジを有するこのタイプの実施形態は、毛髪、皮膚、及び剃毛組成物などの剃毛細片がカートリッジを容易に通過することを可能にし、それによって詰まりを防止するので、特に有益である。
【００４４】
流体分配手段
適切な流体分配手段（３）は、ユーザの皮膚に対して該手段を適用するときに、流体を分配することができる任意の材料を含む。分配速度は、ユーザの皮膚に対して分配手段に適用される圧力の量を調節することによって、消費者が容易に制御することができる。
【００４５】
適切な材料としては、連続気泡発泡体及び独立気泡発泡体、織布、不織布、単一又は複数の有孔又は開孔フィルム、剛性又は半剛性の成型プラスチック、並びにこれらの組み合わせを含む、発泡体が上げられる。流体分配手段は、同じ又は異なる材料とすることができる、単層又は複数層の材料を含むことができる。かかる層状の実施形態は、上下に重ねて層状にすることができ、それによって、各層を皮膚接触面に面する表面に向かって延在させるか、又は皮膚接触面に直接面して各層を互いに隣接して層状にすることができる。
【００４６】
好ましくは、除毛手段は、発泡体によって、より好ましくは連続気泡発泡体によって提供される。適切な材料としては、当技術分野で知られており、市販の天然スポンジ、セルロース、ポリエチレン、ポリウレタン、及び他の合成発泡材料が挙げられる。発泡材料は、皮膚の上へ分配された流体を保持し、分配し、延展するように機能することができ、それによって、消費者によるユーザの皮膚の上への流体のより制御された塗布を可能にするので、特に好都合である。
【００４７】
好ましい一実施形態では、流体分配手段は、除毛後の細片収集器としても機能することができ、よって、除毛過程の後に皮膚上に残っている毛髪及び／又は流体の少なくとも一部を収集する働きをするように選択される。かかる実施形態のための適切な材料としては、発泡体、好ましくは連続気泡セルロース発泡体が挙げられる。あるいは、流体分配及び細片収集の双方を提供するために、材料の組み合わせを利用することができる。適切な組み合わせとしては、例えば、連続気泡発泡体、及び独立気泡発泡体、又は発泡体及び不織布シート材料の複合材が挙げられる。
【００４８】
流体分配手段は、好ましくは、約０．８ｃｍ2〜約３５ｃｍ2、好ましくは約５ｃｍ2〜約１５ｃｍ2、より好ましくは約８ｃｍ2〜約１０ｃｍ2の皮膚接触面積を有する。
【００４９】
支持体
除毛及び流体塗布手段装置は、ユーザが装置（１）を握って制御することと、互いに対して所定の位置で除毛手段（２）及び流体分配手段（３）を確実に位置させ、位置付けることと、の両方を可能にする支持体（４）を更に備える。支持体は典型的に上部分（５）及び下部分（６）を有し、主正面（７）及び背面（８）を有してもよい。除毛手段及び流体塗布手段は、支持体上の任意の適切な場所に位置付けられてもよい。かかる位置には、除毛手段及び流体分配手段が共に支持体の上部分上に位置すること、及び／又は共に支持体の正面若しくは背面上に位置することが含まれるが、これらに限定されない。一実施形態では、除毛手段及び流体分配手段は、対向する表面上、すなわち支持体の正面及び背面それぞれ上に位置する。これは、除毛手段及び流体分配手段が単一の装置上に含まれるが、あらゆる干渉なしに互いから独立して使用されることを可能にする。除毛手段及び流体分配手段は、水平面の周りにほぼ整列するように位置付けられてもよい。あるいは、除毛手段及び流体分配手段は、除毛手段が流体分配手段上に少なくとも部分的に位置付けられるか、又は逆のいずれかでオフセットでもよい。
【００５０】
流体分配手段及び除毛手段は、好ましくは独立して、装置の支持体の一部分、好ましくは上部分に固定される。適切な固定手段には、接着剤、超音波溶接、両面テープ、リベット、クリップ、又は他の機械的手段、及びこれらの組み合わせが含まれる。
【００５１】
一実施形態では、流体分配手段及び／又は除毛手段は独立して、正面及び／又は背面それぞれの幅の少なくとも一部分、好ましくは少なくとも５０％、より好ましくは少なくとも７５％、更に好ましくは少なくとも９０％、最も好ましくは少なくとも９５％に沿って延在する。
【００５２】
ある特定の実施形態では、流体リザーバ（１０）は、その内面又は外面のうちの１つの少なくとも一部分において、支持体に付着させることができる。接着剤、超音波溶接、両面テープ、リベット、クリップ、又は他の機械的手段、及びこれらの組み合わせなどの、リザーバを付着させるための任意の適切な手段を使用することができる。
【００５３】
好ましくは、支持手段は、消費者が装置を握り、皮膚上に流体を塗布し分配するか、又は皮膚上に除毛装置を適用することを可能にするように、装置に十分な剛性を提供する。
【００５４】
支持体は、ポリマー、例えば、プラスチック（剛性及び半剛性の両方）、例えば、ポリスチレン、ポリプロピレン、セルロース、例えば、ボール紙、板紙、カートン用板紙、及びキャリアボード；ナイロン、レーヨン、綿、及びこれらの組み合わせを含む、天然及び合成的に誘導された材料、並びにこれらの組み合わせを含む、任意の適切な材料から形成されてもよい。支持体は、好ましくはボール紙又はポリマー、最も好ましくはボール紙から形成される。
【００５５】
支持体は、単層又は複数層として提供されてもよく、かつ／あるいは足場、ケージ、メッシュ、格子、若しくは骨組み構成、又は剛性を提供すると同時にその中に開口部を有するこれらの組み合わせの形態でもよい。支持体は、任意の適切なボール紙、キャリアボード、カートン用板紙、板紙、又は液体包装用板紙から形成されてもよい。かかる用語は、本明細書で同義として使用される。かかる板紙は、典型的には、木材又は再生された繊維若しくは古紙を含む植物系パルプ源等のセルロース繊維から製造される。カートン用板紙は、単一又は複合的でもよい。カートン用板紙は、顔料コーティング、例えば粘土、炭酸カルシウム、及び二酸化チタンを含有してもよく、かつ／又は接着剤及び／若しくはスチレンブタジエン等の結合剤を含有してもよい。
【００５６】
支持体は、特に水の存在下における消費者の取り扱いを改善し、支持体の触感又は握りを改善し、より容易に印刷することを可能にするために、好ましくは、ワックス又はポリマー（複数可）等の適切な撥水剤で少なくとも１つの主正面及び／又は背面上が表面処理されてもよい、材料は、波形化された少なくとも一部分を有してもよい。一実施形態では、カートン用板紙は、湿潤強度を更に改善するために、積層されてもよい。支持体は、１個の材料から、又は接着剤等の既知の手段を使用して一緒に接合された２個以上の材料から形成されてもよい。
【００５７】
理論に束縛されるものではないが、支持体にカートン用板紙を使用することは、幾つかの利点を提供する。カートン用板紙は、高価な工具の必要なく、製造過程に容易に組み込むことができ、所望の形状に容易に切断される。更に、下で論じられるように、所望の折り目又はスコア線もまたカートン用板紙で容易に作成される。カートン用板紙は、強度比及び密度に対して望ましい厚さを更に提供して、頑丈だが軽量の支持体をもたらす。結果的に、カートン用板紙支持体は、装置に改善された消費者使用体験のための所望の可撓度を提供することができると同時に、消費者が、以下に例示されるとおり、除毛又は流体塗布過程に関連する所望の力を加えることができるように、十分な剛性を維持する。本明細書に用いるためのカートン用板紙は、約２００ｇ／ｍ2、好ましくは約２２５ｇ／ｍ2、より好ましくは約２５０ｇ／ｍ2の坪量を有してもよい。カートン用板紙は、約０．２５ｍｍから、好ましくは約０．３ｍｍから、及び／又は約１．５ｍｍ未満の厚さを有してもよい。
【００５８】
支持体は、任意の形状又は構成をとり得るが、但し、消費者によって握られるのに適切であり、除毛手段及び流体分配の場所を確実にすることができることを条件とする。適切な構成には、実質的なＵ字形、Ｖ字形、ダイヤモンド形、Ｓ字形、ほぼ平坦、湾曲した形状、及びこれらの組み合わせが挙げられる。形状は、好ましくは人間工学的であり、消費者による容易な取り扱いを可能にすべきである。一実施形態では、支持体の上部分の少なくとも一部分は、ほぼ平坦である。
【００５９】
支持体は、流体リザーバ内に提供され得るか、リザーバと一体式であり得るか、若しくはその外部にあり得るか、又はリザーバを部分的に囲み得る。一実施形態では、支持体手段は、リザーバの外部にあり、リザーバの主正面及び／若しくは背面のいずれか、又は縦の縁部上でリザーバを部分的に囲む。支持体は、好ましくは使用中に流体リザーバを完全には囲まない。かかる実施形態は、偶発的な破裂からの流体リザーバの保護を提供し、消費者が支持体を介してリザーバ内に収容された流体を排出するためにリザーバ上に圧力を加えることを可能にする。
【００６０】
代替実施形態では、支持体は、リザーバ内に収容される。かかる実施形態では、支持手段は、その中に収容される流体に対して不活性であるように選択される。
【００６１】
一実施形態では、支持体は、ほぼ平坦でもよい。支持体は、所定の折り目（変形線）及び／又はスコア線を有して提供されてもよく、典型的には、少なくとも下部分内に長手方向に延在するか、若しくは下部分内に水平に延在するか、又はこれらの組み合わせで位置付けられる。一実施形態では、折り目は、少なくとも上部分内に位置付けられ、ほぼ水平に延在してもよい。代替実施形態では、折り目は、典型的に上部分に延在しない。折り目は、好ましくは平坦な支持体が、消費者が装置を容易に握ること、及び／又は流体分配手段から除毛手段を線引きするか、若しくは分離することを可能にする３次元構造を形成することを可能にするように、形成される。あるいは、折り目は、予備形成された３次元支持体に更なる構造を提供し得る、及び／又は流体分配手段から除毛手段を線引きするか、若しくは分離し得る。支持体は、リザーバ内又はリザーバの外部に形成されたとき、折り目を有してもよい。
【００６２】
代替実施形態では、支持体は、除毛及び流体分配装置が、使用前及び／又は使用後に、より好都合なサイズに折り畳まれることを可能にするように、折り目を有して提供される。折り目はまた、除毛手段及び／又は流体分配手段が少なくとも部分的に覆われ、それにより清潔かつ汚染物質が存在しないままにし、また不注意による損傷も防ぐように、装置を折り畳むためにも使用されてもよい。これは、装置が消費者によって自宅から運び出される場合の、特定の利点である。
【００６３】
折り目は、好ましくは、消費者が使用前又は使用後に装置を容易に広げることができるように、弾力的である。
【００６４】
別の実施形態では、支持体は、複雑な枢軸ユニットの必要なしに、好ましくは支持体と除毛装置及び／又は流体分配手段との間にある程度の枢軸運動を提供するように、所定の折り目を有して提供されてもよい。代替実施形態では、折り目は、流体分配手段及び除毛手段を互いから分離してもよく、これは流体リザーバの開口を補助し得、かつ／又は使用中の装置の取り扱いを改善し得る。
【００６５】
リザーバは、装置の上部分から下部分まで延在させることができ、また、流体、ペースト、又はゲルを収容する。リザーバは、永久的か又は取り外し可能に、直接又は間接的に支持体に付着されてもよい。適切な付着手段には、接着剤、ベルクロ、超音波溶接、両面テープ、リベット、クリップ、又は他の機械的手段が含まれる。
【００６６】
リザーバは、好ましくは、流体分配手段に向かって延在し、更に好ましくは、少なくとも一部分が、支持体及び／又は流体分配手段内に、若しくはそれらの上に、若しくはそれらを通って延在し、それにより、流体リザーバと流体分配手段との間に流体経路を作成する。開口手段は、典型的に、存在する場合は、首部分に位置する。
【００６７】
好ましい実施形態では、開口手段（１１）がリザーバ（１０）から支持体（４）及び／又は流体分配手段（３）を通って延在し、開口手段（１１）は消費者によって容易にアクセスされ得る。かかる実施形態では、流体分配手段には、図１０に示されるとおり、開口手段が流体分配手段を通過することを可能にするようにサイズ決定された、開口部（１６）を提供することができる。
【００６８】
図１０は、本発明の除毛及び流体分配装置（１）を示している。この実施形態は、装置の正面（７）の上部分（５）上に位置し、筐体内に設けられる少なくとも１つのかみそりの刃（２）を備える。流体分配手段（３）は、背面（８）の上部分（５）上に位置する。流体分配手段（３）は、上部分（５）の背面（８）の幅全体をほぼ横切って延在するスポンジを備える。除毛手段（２）及び流体分配手段（３）は、皮膚に接触するそれぞれの表面に向かって反対方向に位置するように、所定の位置に配置される。除毛手段（２）及び流体分配手段（３）は、支持体（４）に固定される。支持体（４）は、撥水剤でコーティングされ得るか、又は積層され得る１枚のカートン用板紙から形成される。カートン用板紙は、その中間点を中心として折り畳まれてＵ字形を形成し、その中に、積層されたシートを備える流体リザーバ（１０）が位置しており、支持体が、その中に保持された流体リザーバの正面及び背面をほぼ覆う。支持体（４）には、リザーバの一部分が挿入されて流体分配手段への液体経路を形成する開口部が設けられる。リザーバ（１０）には、リザーバ（１０）から支持体開口部を通って、流体分配手段（３）を通って延在するプルタブ開口手段（１１）が提供される。
【００６９】
開口手段（１１）が取り外されると、流体分配手段（３）は、図１１に示されるように、流体が分配されるのを可能にする開口手段及びリザーバと流体連通している少なくとも１つの流体経路を有する。
【００７０】
本明細書において開示されている寸法及び値は、列挙されている正確な数値に厳密に限定されるものと理解すべきではない。むしろ、特に断らないかぎり、そのような各寸法は、記載された値及びその値の周辺の機能的に同等の範囲の両方を意味するものとする。例えば、「４０ｍｍ」として開示される寸法は、「約４０ｍｍ」を意味することを意図する。
【図１ａ】
2017524607.tif 000003
【図１ｂ】
2017524607.tif 000004
【図２ａ】
2017524607.tif 000005
【図２ｂ】
2017524607.tif 000006
【図３】
2017524607.tif 000007
【図４ａ】
2017524607.tif 000008
【図４ｂ】
2017524607.tif 000009
【図４ｃ】
2017524607.tif 000010
【図４ｄ】
2017524607.tif 000011
【図５ａ】
2017524607.tif 000012
【図５ｂ】
2017524607.tif 000013
【図６】
2017524607.tif 000014
【図７ａ】
2017524607.tif 000015
【図７ｂ】
2017524607.tif 000016
【図７ｃ】
2017524607.tif 000017
【図８】
2017524607.tif 000018
【図９】
2017524607.tif 000019
【図１０ａ】
2017524607.tif 000020
【図１０ｂ】
2017524607.tif 000021
【図１１】
2017524607.tif 000022
【国際調査報告】
2017524607.tif 000023
2017524607.tif 000024
2017524607.tif 000025